(57)【要約】【課題】より信頼性が高く、長期保存に耐え得る電気二重層キャパシタ用アルミラミネート包装構造を提供する。【解決手段】少なくともアルミ箔２１，３１と、アルミ箔２１，３１の一方の面に設けられる保護フィルム２２，３１と、アルミ箔２１，３１の他方の面に設けられる溶着フィルム２３，３３とから構成されるラミネートフィルム２，３によって電気二重層キャパシタ１を包容し、ラミネートフィルム２，３の開口部を溶着して密閉し、ラミネートフィルム２，３の溶着部端面に、アルミ箔２１，３１と外気との接触を遮断するアルミ箔保護フィルム４を設けた電気二重層キャパシタ用アルミラミネート包装構造とした。【選択図】図１
2008124089.tif 000002
【特許請求の範囲】
【請求項１】
少なくともアルミ箔と、前記アルミ箔の一方の面に設けられる保護膜と、前記アルミ箔の他方の面に設けられる溶着膜とから構成されるラミネートフィルムによって電気二重層キャパシタを包容し、前記ラミネートフィルムの開口部を溶着して密閉する電気二重層キャパシタ用アルミラミネート包装構造において、前記ラミネートフィルムの溶着部端面に、前記アルミ箔と外気との接触を遮断するアルミ箔保護手段を設けたことを特徴とする電気二重層キャパシタ用アルミラミネート包装構造。
【請求項２】
前記アルミ箔保護手段が、前記ラミネートフィルムの溶着部を覆って前記ラミネートフィルムに接着され、前記アルミ箔と外気との接触を遮断するアルミ箔保護膜よりなることを特徴とする請求項１記載の電気二重層キャパシタ用アルミラミネート包装構造。
【発明の詳細な説明】
【技術分野】
【０００１】
本発明は、ラミネートフィルムを用いた電気二重層キャパシタ用アルミラミネート包装構造に関する。
【背景技術】
【０００２】
現在、ラミネートフィルムを用いた包装は様々な分野で使用されており、例えば食品のレトルトパウチ、湿度を嫌う電子部品などの包装、また、最近ではリチウム電池、電気二重層キャパシタ（例えば、特許文献１参照）など、広範囲にわたって使用されている。
【０００３】
このようにラミネートフィルムによる包装が広く使用されている理由としては、ラミネートフィルムがガスの遮断性に優れていること、及びラミネートを行う高分子フィルムが熱溶着性に優れていること等が挙げられる。ラミネートフィルムによる包装は、簡易包装が可能でシール性が確実であると共に、コスト抑制を可能としている。
【０００４】
【特許文献１】特開２００６−２４６６０号公報
【発明の開示】
【発明が解決しようとする課題】
【０００５】
図２に、従来の電気二重層キャパシタ用アルミラミネート包装構造の一例を模式的に示す。図２に示すように、従来の電気二重層キャパシタ用アルミラミネート包装構造は、電気二重層キャパシタ１を例えば同形状の２枚のラミネートフィルム２，３間に配し、ラミネートフィルム２，３の周縁を相互に溶着することで行っている。なお、図２において図示した電気二重層キャパシタ１、ラミネートフィルム２，３は実際の寸法比とは異なり、説明のためラミネートフィルム２，３を誇張して示している。
【０００６】
ラミネートフィルム２，３は、少なくともアルミ箔２１，３１の一方の面に保護膜としての保護フィルム層２２，３２を配し、他方の面に溶着膜としての溶着フィルム２３，３３を配した３層以上のフィルムから構成され、溶着フィルム２３，３３同士が対向するように電気二重層キャパシタ１を覆い、周縁部を熱溶着して密閉することで電気二重層キャパシタ１を包容している。
【０００７】
このように、ラミネートフィルム２，３によって電気二重層キャパシタ１を包装することにより、キャパシタユニットの体積及び重量の軽減が可能になる。
【０００８】
更に、電気二重層キャパシタ１においてはユニット内、即ち、電気二重層キャパシタ１を覆うラミネートフィルム２，３内部におけるガス成分等の環境はできる限り製造時の状態を維持することが望ましく、電気二重層キャパシタ１をラミネートフィルム２，３によって包装すれば、アルミ箔２１，３１のガス遮断性の効果によってセルを外気から完全に遮断し、ユニット内（アルミラミネート包装内部）の環境、つまり、減圧状態としたガス成分等を長期間にわたって初期状態である製造時の状態に保つことができる。
【０００９】
しかしながら、図２に示した従来の電気二重層キャパシタ用アルミラミネート包装構造によれば、保護フィルム２３，３３層を通したガス透過、水分吸収等を遮断することはできるものの、ラミネートフィルム２，３の溶着断面、即ち、ラミネートフィルム２，３を溶着する周縁部の端面においては、アルミ箔２１，３１が露出し大気中に晒された状態となる。
【００１０】
このような状態でアルミラミネート包装を行った電気二重層キャパシタ１を長期保存下、高湿度下、腐食雰囲気下等の環境におくと、アルミ箔２１，３１が大気に晒された端面から腐食されてしまう可能性がある。
【００１１】
アルミ箔２１，３１が腐食され、腐食が徐々にラミネートフィルム２，３内部へと進行すると、アルミ箔２１，３１、保護フィルム２２，３２、溶着フィルム２３，３３が互いに剥がれ、ラミネートフィルム２，３によって密閉された空間内へ溶着フィルム２３，３３面からガスが透過する虞がある。
【００１２】
特に、電池、キャパシタ等の電気化学反応セルにおいては、水分・酸素などから受ける影響が大きい。例えば、電気二重層キャパシタ１においてユニット内に水分が浸入すると、この水分の影響でガスが発生し、発生したガスのガス圧によってセル間に極間を押し広げる力が作用して電極の接触抵抗が増加する虞がある。それゆえ、電気二重層キャパシタのアルミラミネート包装においては、アルミ箔２１，３１、保護フィルム２２，３２、溶着フィルム２３，３３間の剥がれを防止する必要がある。
【００１３】
本発明はこのような問題を解決するものであって、より信頼性が高く、長期保存に耐え得る電気二重層キャパシタ用アルミラミネート包装構造を提供することを目的とする。
【課題を解決するための手段】
【００１４】
上記の課題を解決するための第１の発明に係る電気二重層キャパシタ用アルミラミネート包装構造は、少なくともアルミ箔と、前記アルミ箔の一方の面に設けられる保護膜と、前記アルミ箔の他方の面に設けられる溶着膜とから構成されるラミネートフィルムによって電気二重層キャパシタを包容し、前記ラミネートフィルムの開口部を溶着して密閉する電気二重層キャパシタ用アルミラミネート包装構造において、前記ラミネートフィルムの溶着部端面に、前記アルミ箔と外気との接触を遮断するアルミ箔保護手段を設けたことを特徴とする。
【００１５】
上記の課題を解決するための第２の発明に係る電気二重層キャパシタ用アルミラミネート包装構造は、前記アルミ箔保護手段が、前記ラミネートフィルムの溶着部を覆って前記溶着部に接着され、前記アルミ箔と外気との接触を遮断するアルミ箔保護膜よりなることを特徴とする。
【発明の効果】
【００１６】
上述した本発明に係る電気二重層キャパシタ用アルミラミネート包装構造によれば、アルミ箔保護手段を設けたことにより、電気二重層キャパシタを包装するラミネートフィルムの溶着部の端面においてアルミ箔が露出することを防ぎ、該アルミ箔が腐食することを防止できる。これにより、長期にわたってラミネートフィルムの構造を保つことができる。
【００１７】
さらに、ラミネートフィルムを構成する各層が相互に剥がれることがなく、ラミネートフィルムのガス遮断性を長期にわたって保つことができるために、電気二重層キャパシタを包装した包装内の環境を従来と比較してより製造時の状態に維持することが可能となり、従来以上に長期にわたって電気二重層キャパシタの品質を安定した状態に保持できるようになる。これにより、電気二重層キャパシタ用アルミラミネート包装構造をより信頼性が高く、長期保存に耐え得るものとすることが可能となった。
【発明を実施するための最良の形態】
【００１８】
本発明の一実施形態を以下に示す。本実施形態に係る電気二重層キャパシタ用アルミラミネート包装構造は少なくともアルミ箔と、アルミ箔の一方の面に設けられる保護膜と、アルミ箔の他方の面に設けられる溶着膜とから構成されるラミネートフィルムによって電気二重層キャパシタを包容し、ラミネートフィルムの開口部を溶着、密閉して電気二重層キャパシタを減圧状態で保持するものである。
【００１９】
さらに、ラミネートフィルムの開口部を溶着した部分である溶着部の端面に露出するアルミ箔が大気と接触することを防ぐため、例えば、ラミネートフィルムに接着可能であって気体の流通を遮断することが可能な高分子材料からなるフィルムによってラミネートフィルムの溶着部端面を覆う等のアルミ箔保護手段を備える。
【００２０】
本実施形態によれば、アルミ箔が大気中に露出することがないためにアルミ箔が侵食される虞がなく、電気二重層キャパシタを長時間にわたって製造時の環境下に保持し、安定した品質を維持することが可能となる。
【実施例】
【００２１】
図に基づいて、本実施例に係る電気二重層キャパシタ用アルミラミネート包装構造の一実施例を詳細に説明する。図１は本実施例における電気二重層キャパシタをラミネートフィルムによって包装した状態を模式的に示す断面図である。
【００２２】
本実施例は、上述した従来の電気二重層キャパシタ用アルミラミネート包装構造にアルミ箔保護フィルム４を追加した構造であって、以下、図２に示し上述した部材と同一の部材については同一符号を付し、重複する説明は省略する。なお、図２と同様、図１においてもラミネートフィルム２，３を誇張して図示している。
【００２３】
図１に示すように、本実施例において電気二重層キャパシタ１を覆い、相互に溶着されたラミネートフィルム２，３周縁の端面には、全周にわたってアルミ箔保護手段としてのアルミ箔保護フィルム４が設けられている。即ち、ラミネートフィルム２，３のアルミ箔２１，３１が露出した部分をアルミ箔保護フィルム４によって覆い、アルミ箔２１，３１が直接外気と接触することがないようにしている。
【００２４】
アルミ箔保護フィルム４は、少なくとも保護フィルム２２，３２と接着可能である高分子材料によって構成する。例えば、二つ折りにしたアルミ箔保護フィルム４の開口部にラミネートフィルム２，３の溶着部を挿入し、アルミ箔保護フィルム４によって溶着部を挟み込んだ状態でラミネートフィルム２，３とアルミ箔保護フィルム４とを接着することで、アルミ箔２１，３１と外気との接触を遮断することができる。
【００２５】
本実施例によれば、上述した構成とすることによりラミネートフィルム２，３の端面において露出しているアルミ箔２１，３１が大気中に晒される虞がないためアルミ箔２１，３１の腐食を防止することができ、長期にわたってラミネートフィルム２，３の形状を保つことができる。従って、ラミネートフィルム２，３のラミネート部分が剥離することがなくなり、ラミネートフィルム２，３のガス遮断性を長期にわたって保つことが可能となる。これにより、ラミネートフィルム２，３によって密閉された電気二重層キャパシタ１が長期にわたって安定な品質を保持できるようになった。
【００２６】
なお、図１においてはラミネートフィルム２，３の溶着部とアルミ箔保護フィルム４との間に間隙を設けた状態となっているが、ラミネートフィルム２，３の溶着部とアルミ箔保護フィルム４とは密着した状態としてもよく、本発明の主旨を逸脱しない範囲で各種変更が可能であることはいうまでもない。
【産業上の利用可能性】
【００２７】
本発明は、電池、キャパシタ等の電気化学反応セルを密閉状態に維持する電気二重層キャパシタ用アルミラミネート包装構造に適用可能である。
【図面の簡単な説明】
【００２８】
【図１】本発明の実施例に係る電気二重層キャパシタ用アルミラミネート包装構造を模式的に示す断面図である。
【図２】従来の電気二重層キャパシタ用アルミラミネート包装構造を模式的に示す断面図である。
【符号の説明】
【００２９】
１  電気二重層キャパシタ
２，３  ラミネートフィルム
２１，３１  アルミ箔
２２，３２  保護フィルム
２３，３３  溶着フィルム
４  アルミ箔保護フィルム
【図１】
2008124089.tif 000003
【図２】
2008124089.tif 000004